(57)【要約】【課題】予備電池の準備や交換、管理が煩雑となる電池の使用をなくし、室内の光を被観察体の照明光として利用できるようにする。【解決手段】集光スタンド１１は、室内の光を集光するための大型集光レンズ１４（放物面鏡でもよい）、この集光レンズ１４の焦点位置に光入射端部材１５を介して配置された光ファイバーケーブル１２、この光ファイバーケーブル１２の光出射端にカップリング光学系１８を取り付けたコネクタ１７を有する。このコネクタ１７は、カップリング光学系２３を有する内視鏡２０のコネクタ受け２２に着脱自在に接続でき、このような構成で、集光レンズ１４で集めた室内の光が被観察体照明用光として内視鏡２０へ供給される。また、上記コネクタ受け２２には、上記集光スタンド１１のコネクタ１７と電池式光源アダプタとが選択的に接続可能となっている。【選択図】図１
2009195629.tif 000002
【特許請求の範囲】
【請求項１】
室内の光を集光するための大型集光光学系と、
この集光光学系の焦点位置に光入射端が配置され、この集光光学系にて集められた光を伝送する光ファイバー線と、
この光ファイバー線の光出射端に配置され、内視鏡に配置されたライトガイドへ光を伝送するためのカップリング光学系と、を設け、
室内の光を被観察体照明用光として内視鏡へ供給する内視鏡の採光式光源ユニット。
【請求項２】
電池電源によって光源の光を出力する電池式光源アダプタが、着脱自在となる接続部に接続される内視鏡においては、上記カップリング光学系を有し上記内視鏡接続部に着脱自在に接続可能となる接続部を設けたことを特徴とする請求項１記載の内視鏡の採光式光源ユニット。
【発明の詳細な説明】
【技術分野】
【０００１】
本発明は内視鏡の採光式光源ユニット、特に携帯用内視鏡等に使用可能となり、内視鏡先端部から被観察体を光照明するために必要となる光源部の構成に関する。
【背景技術】
【０００２】
内視鏡装置は、内視鏡（スコープ）の先端部から被観察体へ照明光を照射し、この照明された被観察体を光学的に、又は固体撮像素子等を用いて電子的に観察するものであり、この照明光の供給源として、一般に、ハロゲンランプやキセノンランプを商用電源で点灯させる光源装置が用いられる。
【０００３】
また、近年では、設備の整った施設以外の各種場所での使用、ベッドサイドでの使用、緊急時の使用等を可能にするため、内視鏡装置の携帯化が進められている。この携帯用内視鏡装置では、下記特許文献１に示されるように、内視鏡に、光源ランプと電池を収納したアダプタを設け、電池電源にて光源ランプを点灯させるように構成することが行われる。
【特許文献１】特開２００３−３１９９０６号公報
【特許文献２】特開平２−９６１０９号公報
【発明の開示】
【発明が解決しようとする課題】
【０００４】
しかしながら、従来の光源の電源として電池を用いる内視鏡は、電池の寿命が比較的短いため、常に予備の電池を用意していなければならず、この予備電池の準備や交換、管理が煩雑であるという問題がある。また、商用電源とは異なった電気的安全性を維持しなければならないという問題もある。
【０００５】
一方、内視鏡装置を使用する室内には、照明器具等の光が満たされており、この光を内視鏡用の被観察体の照明光として利用できれば、経済的であり、利便性の高い光源装置が得られることになる。
【０００６】
本発明は上記問題点に鑑みてなされたものであり、その目的は、予備電池の準備や交換、管理が煩雑となる電池の使用をなくし、室内の光を被観察体の照明光として利用することが可能になる内視鏡の採光式光源ユニットを提供することにある。
【課題を解決するための手段】
【０００７】
上記目的を達成するために、請求項１の発明に係る内視鏡の採光式光源ユニットは、室内の光を集光するための大型集光光学系（集光レンズや凹面鏡）と、この集光光学系の焦点位置に光入射端が配置され、この集光光学系にて集められた光を伝送する光ファイバー線と、この光ファイバー線の光出射端に配置され、内視鏡に配置されたライトガイドへ光を伝送するためのカップリング光学系と、を設け、室内の光を被観察体照明用光として内視鏡へ供給することを特徴とする。
請求項２に係る発明は、電池電源によって光源の光を出力する電池式光源アダプタが、着脱自在となる接続部に接続される内視鏡においては、上記カップリング光学系を有し上記内視鏡接続部に着脱自在に接続可能となる接続部を設けたことを特徴とする。
【０００８】
本発明の構成によれば、室内の光が集光レンズ又は凹面鏡（放物面鏡）によって集められ、この室内光が光ファイバー線を介しカップリング光学系から内視鏡内のライトガイドへ供給される。例えば、上記集光レンズとして、直径１００ｍｍ程度のものを用いると、５００ｌｘ程度の室内光が集められ、内視鏡先端部から、３００ｌｘ程度の照明光を被観察体へ照射することができる。
【発明の効果】
【０００９】
本発明の内視鏡の採光式光源ユニットによれば、電池を光源電源として用いる必要がなく、煩雑となる予備電池の準備や交換、管理が不要になる。また、電力を使用せずに、室内の光が被観察体の照明光として有効に利用され、経済性、利便性の高い光源装置が得られるという効果がある。
【発明を実施するための最良の形態】
【００１０】
図１乃至図４には、第１実施例に係る内視鏡の採光式光源ユニットの構成が示されており、図示されるように、実施例の光源ユニットは、集光スタンド（レンズスタンド）１１と光ファイバーケーブル（線）１２を備えている。この集光スタンド１１は、例えば直径１００ｍｍ程度の大型集光レンズ１４を上部に設け、内部が逆円錐形空間とされた集光部１１ａ、支持柱１１ｂ、例えば直径１００ｍｍ以上とされた円形底部板１１ｃからなる。
【００１１】
図１に示されるように、上記集光スタンド１１の集光レンズ１４の焦点位置となる集光部１１ａの円錐形頂点部に、光ファイバーの光入射端部材１５が配置され、この光入射端部材１５に、上記光ファイバーケーブル１２が接続される。この光ファイバーケーブル１２は、支持柱１１ｂの内部に配設され、この支持柱１１ｂの下部から外側へ出される。
【００１２】
また、上記光ファイバーケーブル１２の光出射側には、コネクタ（接続部）１７が設けられ、このコネクタ１７内に、光ファイバーケーブル１２の光出射端に接続される形で集光スタンド側のカップリング光学系１８が取り付けられる。一方、内視鏡２０には、その先端部２０Ａから操作部２０Ｃまで光ファイバーからなるライトガイド２１が配設されており、この操作部２０Ｃには、上記コネクタ１７を着脱自在に連結するコネクタ受け２２が設けられ、このコネクタ受け２２内に、内視鏡側のカップリング光学系２３が取り付けられる。このコネクタ１７とコネクタ受け２２は、着脱自在となる接続構成とされており、この構成として、例えば嵌合する雄部と雌部からなる単なる差込み嵌合式や回転リングを受け部に螺合結合させる形式等を採用することができる。
【００１３】
図３及び図４には、回転リングを用いた螺合結合式の構成が示されており、各図に示されるように、内視鏡２０（操作部２０Ｃ）のコネクタ受け２２の外周に雄ネジ部２２ａが形成される。一方、集光スタンド１１側のコネクタ１７には、内周に雌ネジ部２５ａが形成された回転リング２５が回転自在に取り付けられる。従って、この回転リング２５を回転させ、その雌ネジ部２５ａをコネクタ受け２２の雄ネジ部２２ａへ螺合結合させることによって、光ファイバーケーブル１２が内視鏡操作部２０Ｃに接続される。
【００１４】
また、実施例では、上記操作部２０Ｃに対し、従来の電池式光源アダプタも着脱自在に接続できるようになっている。即ち、従来と同様に、電池式光源アダプタ２７は、電池２８、ランプ２９及びカップリング光学系３０を有しており、そのコネクタ３１に、内周に雌ネジ部３２ａが形成された回転リング３２が回転自在に取り付けられる。従って、この回転リング３２の雌ネジ部３２ａがコネクタ受け２２の雄ネジ部２２ａに螺合結合することで、電池式光源アダプタ２７が内視鏡操作部２０Ｃに接続される。
【００１５】
このような第１実施例の構成によれば、図１及び図２に示されるように、室内の光が集光レンズ１４で集められ、この集められた光は、光入射端部材１５から光ファイバーケーブル１２を通り、コネクタ１７のカップリング光学系１８を介して内視鏡側へ伝送される。一方、内視鏡２０では、カップリング光学系２３を介して伝送された光が受光され、この光は、ライトガイド２１を通り、先端部２０Ａから被観察体へ照明光として照射される。そして、上記集光レンズ１４が直径１００ｍｍ程度の場合には、５００ｌｘ程度の室内光が集められ、内視鏡先端部２０Ａから、３００ｌｘ程度の照明光が被観察体へ照射される。
【００１６】
また、集光スタンド１１の集光レンズ１４に、蛍光灯スタンド等を近づけて集光量を増やすこともでき、これによって、１８００ｌｘ程度の明るさの光を集めることもできる。
【００１７】
そして、実施例では、図３及び図４に示したように、上記の集光スタンド１１と電池式光源アダプタ２７のいずれかを選択することができ、携帯式内視鏡装置を使用する室内環境に合わせ、最適な形式の光源装置を用いることが可能になっている。
【００１８】
図５（Ａ），（Ｂ）には、第２実施例に係る内視鏡の採光式光源ユニットの構成が示されており、この第２実施例は、集光光学系として、凹面鏡（放物面鏡）を用いたものである。図５（Ａ）に示されるように、第２実施例の光源ユニットは、第１実施例と同様の集光スタンド等に設けられた放物面鏡３４と光ファイバーケーブル３５を備えている。この放物面鏡３４には、その焦点位置に、光ファイバーの光入射端部材３６が設けられ、この光入射端部材３６に光ファイバーケーブル３５が接続される。このような図５（Ａ）の光源ユニットによれば、放物面鏡３４で集光された光が光入射端部材３６から光ファイバーケーブル３５を介して内視鏡側へ供給される。
【００１９】
図５（Ｂ）には、第２実施例の変形例の構成が示されており、この変形例は、放物面鏡３４Ｇの中心部に開口３７が形成されると共に、焦点位置に反射鏡３８が設けられる。そして、上記開口３７に、光ファイバーケーブル３５が接続された光入射端部材３６が配置される。このような図５（Ｂ）の光源ユニットによれば、放物面鏡３４で集光された光が反射鏡３８で反射された後、光入射端部材３６へ入射し、この光入射端部材３６から光ファイバーケーブル３５を介して内視鏡側へ供給される。これらの第２実施例の構成によっても、集められた室内光によって、被観察体の照明が可能となる。
【図面の簡単な説明】
【００２０】
【図１】本発明の第１実施例に係る採光式光源ユニットを内視鏡に接続したときの構成を示す断面図である。
【図２】第１実施例の採光式光源ユニットを内視鏡に接続したときの構成を示す斜視図である。
【図３】第１実施例の採光式光源ユニットと内視鏡との接続構成を示す図である。
【図４】第１実施例の内視鏡と電池式光源アダプタとの接続構成を示す図である。
【図５】第２実施例の凹面鏡を用いた採光式光源ユニットの二つの構成を示す図である。
【符号の説明】
【００２１】
１１…集光スタンド、      １１ａ…集光部、
１１ｂ…支持柱、          １２，３５…光ファイバーケーブル、
１４…大型集光レンズ、    １５，３６…光入射端部材、
１７…コネクタ、          １８，２３，３０…カップリング光学系、
２０…内視鏡、            ２０Ａ…先端部、
２１…ライトガイド、      ２２…コネクタ受け、
３４，３４Ｇ…放物面鏡。
【図１】
2009195629.tif 000003
【図２】
2009195629.tif 000004
【図３】
2009195629.tif 000005
【図４】
2009195629.tif 000006
【図５】
2009195629.tif 000007